(57)【特許請求の範囲】
【請求項１】
水切り容器と水受け容器とを重ねた水切りのための容器であって、
水切り孔を有する前記水切り容器と、前記水受け容器と、の底部を一体に成型したこと
を特徴とする受け皿付き水切り容器。
【請求項２】
請求項１に記載の受け皿付き水切り容器であって、
前記水受け容器は、反転可能であること
を特徴とする受け皿付き水切り容器。
【請求項３】
請求項１または２に記載の受け皿付き水切り容器であって、
前記水切り容器、及び水受け容器の少なくとも一方が、折りたたみ可能であること
を特徴とする受け皿付き水切り容器。
【請求項４】
請求項１から３の何れか一項に記載の受け皿付き水切り容器であって、
前記水切り容器、及び水受け容器の少なくとも一方がシリコンゴムからなること
を特徴とする受け皿付き水切り容器。
【請求項５】
請求項１から４の何れか一項に記載の受け皿付き水切り容器であって、
前記水切り容器、及び水受け容器の少なくとも一方がエラストマーからなること
を特徴とする受け皿付き水切り容器。
【請求項６】
請求項１から５の何れか一項に記載の受け皿付き水切り容器と、前記受け皿容器に嵌まる蓋と、からなる蒸し器。
【発明の詳細な説明】
【技術分野】
【０００１】
本発明は、受け皿付き水切り容器、及び蒸し器に関する。
【背景技術】
【０００２】
従来、食材や調理用具の水切りは、ざる状の水切り容器をボール状の水受け容器に載せることで行っていた。特許文献１には、ボール容器とざる容器で構成される水切り具が開示されている。
【先行技術文献】
【特許文献】
【０００３】
【特許文献１】特開２００２−３２５６９２号公報
【発明の概要】
【発明が解決しようとする課題】
【０００４】
しかしながら、水切り容器と受け皿容器が別々に形成されていると、各容器を保管管理する際、片方を壊してしまったり、片方が見つからなかったりした。また、両者を重ねて使用する際には、お互いがズレたり、滑ったりして扱いにくかった。
【０００５】
そこで、本発明は、保管、及び扱いの容易な受け皿付き水切り容器を提供することを目的とする。
【課題を解決するための手段】
【０００６】
本発明に係る受け皿付き水切り容器は、水切り孔を有する水切り容器と、水受け容器と、の底部を一体に成型したことを特徴とする。
【発明の効果】
【０００７】
保管、及び扱いの容易な受け皿付き水切り容器を提供できる。
【図面の簡単な説明】
【０００８】
【図１】本発明の第１の実施形態に係る受け皿付き水切り容器１の斜視図である。
【図２】受け皿付き水切り容器１の断面図である。
【図３】本発明の変形例１に係る受け皿付き水切り容器１ａの断面図である。
【図４】本発明の第２の実施形態に係る受け皿付き水切り容器２の斜視図である。
【図５】本発明の変形例２に係る受け皿付き水切り容器２ａの断面図である。
【図６】本発明の第３の実施形態に係る受け皿付き水切り容器３の斜視図である。
【図７】本発明の第４の実施形態に係る受け皿付き水切り容器４の断面図である。
【図８】本発明の変形例３に係る蒸し器４ａの断面図である。
【発明を実施するための形態】
【０００９】
以下、本発明の第１の実施形態について図面を参照しながら説明する。尚、すべての図面において同様の構成要素には同様の符号を付し、適宜説明を省略する。
【００１０】
＜第１の実施形態＞
図１に、本発明の第１の実施形態に係る受け皿付き水切り容器１の斜視図を、図２に受け皿付き水切り容器１の断面図を示す。
【００１１】
図２（ａ）及び図２（ｂ）に示すように、受け皿付き水切り容器１は、水切り用の容器と水受け用の容器が、柔軟性を有する弾性材料で一体に形成されてなる。受け皿付き水切り容器１の素材としては、例えば、耐熱耐冷に優れたシリコンゴムやエラストマー等を使用することができる。これにより、受け皿付き水切り容器１を、このまま電子レンジやオーブン、冷蔵庫等にそのまま利用することが可能である。
【００１２】
具体的に、受け皿付き水切り容器１は、食材や調理器具等を保持するための水切り部１１と、水切り部１１からの液体を受ける水受け部１２と、からなる。
【００１３】
水切り部１１は、略半球面形状に形成されており、円形の底部１３（例えば、厚さ約４ｍｍ程度）を除く半球面（例えば、厚さ約２ｍｍ程度）に、複数の円形の水切り孔１１１（例えば、直径約３ｍｍ程度）が設けられている。なお、水切り孔１１１は、ここではその位置及び大きさを限定するものではなく、図１（ｂ）に示すように、食材９０や調理器具等を保持しながら液体のみを水切り部１１へと通過させることが可能なように形成されていればよい。なお、底部１３は、水切り部１１の開口側へ膨らむように成型しておくことで、水切り部１１に水が溜まるのを防止することができる。
【００１４】
水受け部１２は、底部１３の周縁から延出する中空の連結部１２１と、連結部１２１の縁に形成される折り返し部１２２と、折り返し部１２２から略半球面形状に広がる表裏可逆の器部１２３（例えば、厚さ約２ｍｍ程度）と、折り返し部１２２の折り返し端に形成され、水切り部１１と反対方向に凸の隆起１２４と、からなる。なお、器部１２３は、水切り部１１よりも一回り大きく形成されている。
【００１５】
折り返し部１２２は、これを折り返すことで、器部１２３の表裏を反転させることが可能である。具体的には、図２（ａ）に示すように、折り返し部１２２を折り返さない状態での器部１２３は、その半球面が水切り部１１とは逆向きとなるよう維持される。一方、図２（ｂ）に示すように、折り返し部１２２を折り返した状態での器部１２３は、その半球面が水切り部１１と同じ向きになるよう維持される。
【００１６】
このように、本実施形態に係る受け皿付き水切り容器１によれば、図２（ｂ）のように、折り返し部１２２を折り返した状態とすることで、水切り部１１の備える水切り孔１１１を通過した水分を水受け部１２に溜めることができる。
【００１７】
なお、隆起１２４は、折り返し部１２２を折り返した状態の受け皿付き水切り容器１を、置台上で安定させる。なお、連結部１２１を机やシンク等の表面に吸着させることで、よりガタつきなく水切り作業を行うことが可能である。連結部１２１を置台の上で吸盤のように作用させることもできる。
【００１８】
図２（ａ）のように、折り返し部１２２を折り返さない状態では、水受け部１２の両面が露出するため、簡便に汚れを洗浄することが可能である。
【００１９】
また、水切り対象物をある程度水切りをした後に、折り返し部１２２を折り返さない状態に戻すことで、水切り対象物を乾燥させることも可能である。もちろん、折り返し部１２２を折り返さずにシンク等に戴置して水切りを行うこともできる。その場合、器部１２３の表面を水滴が自然に流れ落ちるため、水受け部１２に溜まる水を捨てる手間を省くことが可能である。
【００２０】
また、水受け部１２と水切り部１１が底部１３で一体に構成されているため、使用時における組み合わせの誤りや各容器の組み合わせによるズレ、滑り、破損等のストレスを解消することが可能である。さらに、その製造工程における成型加工を容易とするだけでなく、容器の保管管理を省スペースで行うことができる。加えて、水受け部１２と水切り部１１は底部を共有しているため、軽量で楽に洗浄できる。
【００２１】
上記の実施形態は、本発明の要旨を例示することを意図し、本発明を限定するものではない。本発明は、その技術的思想の範囲内で様々な変形が可能である。
【００２２】
例えば、水切り部１１及び水受け部１２の形状は、必ずしも半球面形状である必要はない。例えば、楕円形としてもよい。
【００２３】
また、水切り部１１及び水受け部１２は、必ずしも弾性材料から製造されている必要はない。例えば、水切り部１１のみをステンレス等の金属又は一定の硬さのプラスチックで作成し、水受け部１２のみがシリコンからなるような構成としてもよい。
【００２４】
さらに、水受け部１２は、必ずしも表裏が反転可能である必要はない。例えば、図１（ａ）に示すように、水切り部１１と水受け部１２の底部１３が一体となった二重構造の金属製容器、あるいは一定の硬さを持ったプラスチック容器であってもよい。
【００２５】
以下に、変形例を示す。
【００２６】
＜変形例１＞
図３に、本発明の変形例１に係る受け皿付き水切り容器１ａの断面図を示す。
【００２７】
受け皿付き水切り容器１ａは、第１の実施形態に係る受け皿付き水切り容器１の水切り部１１に、肉厚に成型加工した複数のリブ１９を設けた構成である。リブ１９は、底平面に平行かつ円周に沿って形成されたリング状の肉厚部であり、リブ１９の間の肉薄部分と共にいわゆる蛇腹構造を形成する。図３（ａ）に示すようにリブ１９を伸ばした状態では、受け皿付き水切り容器１と同じ形状であるが、図３（ｂ）に示すように、所定のリブ１９を外側に折りたたむことで、水切り部１１ａの高さを段階的に低くすることができる。なお、ここではリブを３箇所設けてあるが、これに限定されず、その数及び位置は自由に設定する事ができる。
【００２８】
このような構成によれば、水切り部１１ａの高さを調整することが可能である。また、水受け部１２にもリブを設けておけば、水受け部１２も折り畳むことができ、保管スペースを大きく削減することができる。
【００２９】
なお、水切り部１１に蓋をする際に、上記リブを、蓋を嵌めて支える縁として使用することも可能である。
【００３０】
＜第２の実施形態＞
次に、本発明の第２の実施形態に係る受け皿付き水切り容器２について説明する。図４に、本発明の第２の実施形態に係る受け皿付き水切り容器２の斜視図を示す。受け皿付き水切り容器２は、図４（ａ）に示すように、本発明の第１の実施形態に係る受け皿付き水切り容器１の水切り部１１及び水受け部１２の形状を、それぞれ矩形に形成したものである。
【００３１】
具体的に、受け皿付き水切り容器２は、所定の面が開口した略長方体の水切り部２１と、同じく所定の面が開口した略長方体の水受け部２２と、からなる。水切り部２１は、その底面の中央部分である矩形状の底部２３ａを除いた底部２３ｂに、水切り孔２１１を備えている。
【００３２】
水受け部２２は、底部２３ａの周縁から延出する中空の連結部２２１と、連結部２２１の縁から広がる略長方体の表裏可逆の器部２２３と、からなる。なお、器部２２３には、器部２２３の側面を折り返すことで、表裏を反転させるための折り返し部２２２が形成されている。具体的には、図４（ａ）に示すように、折り返し部２２２を折り返さない状態での器部２２３は、その開口が水切り部２１の開口とは逆向きとなるよう維持される。一方、図４（ｂ）に示すように、折り返し部２２２を折り返した状態での器部２２３は、その開口が水切り部２１と同じ向きとなるよう維持される。
【００３３】
このような構成により、本実施形態に係る受け皿付き水切り容器２は、図４（ｃ）に示すように、水切り部２１に食材９０を乗せて、簡便に水切りを行うことができる。また、水受け部２２に氷９１等を置いて食材９０を冷やすことも可能である。このような受け皿付き水切り容器２は、例えば、石鹸置きにも使用することができる。なお、第１の実施形態の隆起１２４と同様に、器部２２３の外側面に、水切り部２１と反対方向に凸状の隆起を設けることができる。これにより、置台上に安定して戴置することができる。
【００３４】
さらに、折り返し部２２２を折り返さない状態で受け皿付き水切り容器２自体を逆にすれば、水受け部２２を単に皿として使用することもできる。
また、水切り部２１及び水受け部２２は、必ずしも弾性材料から製造されている必要はない。例えば、水切り部１１のみをステンレス等の金属や一定の硬さのプラスチックで作成し、水受け部１２のみがシリコンからなるような構成としてもよい。
さらに、水受け部２２は、必ずしも表裏が反転可能である必要はない。例えば、図４（ｂ）に示すように、水切り部２１と水受け部２２が、底部２３ａ（連結部２２１）で一体となった二重構造の金属製容器あるいは一定の硬さを持ったプラスチック容器であってもよい。
【００３５】
次に、本発明に係る受け皿付き水切り容器２の変形例２を示す。
【００３６】
＜変形例１＞
図５は、本発明の変形例２に係る受け皿付き水切り容器２ａの斜視図である。
【００３７】
受け皿付き水切り容器２ａは、第２の実施形態に係る受け皿付き水切り容器２の水切り部の底部に水切り孔を形成せずに、側面にスリット２１１ａを設けたものである。スリット２１１ａの位置や間隔、大きさは特に限定するものではなく、水切り対象（例えば、食材や石鹸等）を保持しながら、液体のみを通過させることが可能なように形成されていればよい。
【００３８】
＜第３の実施形態＞
次に、本発明の第３の実施形態に係る受け皿付き水切り容器３について説明する。図６に、本発明の第３の実施形態に係る受け皿付き水切り容器３の斜視図を示す。受け皿付き水切り容器３は、図６（ａ）に示すように、本発明の第１の実施形態に係る受け皿付き水切り容器１の水切り部１１及び水受け部１２の形状を、それぞれ所定の面が開口した略三角柱形状に形成したものである。
【００３９】
具体的に、受け皿付き水切り容器３は、略三角柱形状の水切り部３１と、同じく略三角柱形状の水受け部３２と、からなる。水切り部３１は、その底面の中央部分である略三角形状の底部３３ａを除いた底部３３ｂに、水切り孔３１１を備えている。また、水切り部３１は、その開口を形成する三角形の一つの頂点部分の側壁が、外側へ断面がほぼＵ字状になるようせり出すように形成されている。
【００４０】
水受け部３２は、底部３３ａの周縁から延出する連結部３２１と、連結部３２１の縁から広がる表裏可逆の器部３２３と、からなる。なお、器部３２３には、器部３２３の表裏を反転させるための折り返し部３２２が形成されている。具体的には、図６（ａ）に示すように、折り返し部２２２を折り返さない状態では、器部３２３はその開口が水切り部３１の開口とは逆向きとなるよう維持される。一方、図６（ｂ）に示すように、折り返し部２２２を折り返した状態では、器部３２３は、その開口が水切り部３１と同じ向きとなるよう維持される。
【００４１】
このような構成により、本実施形態に係る受け皿付き水切り容器３は、図６（ｃ）に示すように、Ｕ字状のせり出し部分に柄付の調理器具９２の柄を載せることで、これを安定した状態で保持することができる。
【００４２】
＜第４の実施形態＞
次に、本発明の第４の実施形態に係る蒸し器４について説明する。図７は、本発明の第４の実施形態に係る蒸し器４の断面図である。
【００４３】
蒸し器４は、第１の実施形態に係る受け皿付き水切り容器１に、これを覆うための水受け部１２に嵌まる蓋９を設けたものである。水切り部１１に食材９０を入れ、水受け部１２に水９３を溜めて加熱することにより、蒸気で食材を蒸す蒸し器として用いることが可能である。
【００４４】
なお、第１の実施形態の変形例１のように、リブ１９を設けることで、水切り部１１あるいは水受け部１２を折り畳み可能に構成することもできる。
【００４５】
以下、このような蒸し器の変形例について説明する。図８は、本発明の変形例３に係る蒸し器４ａの断面図である。
【００４６】
図８（ａ）及び図８（ｂ）に示すように、蒸し器４ａは、球面に格子状の切子を施した水切り部４１及び水受け部４２とからなる受け皿付き水切り容器４０と、水切り部４１及び水受け部４２の開口の縁に嵌まる蓋９と、からなる。
【００４７】
水切り部４１は、図８（ｂ）に示すように、略半球面形状に形成されており、底部４３を除く下部面（水切り部４１の半球面外側と水受け部４２の開口縁との接触部４４よりも下側）に複数の円形の水切り孔４１１が設けられており、水切り孔４１１よりも上部面には格子状の切子が施されている。切子は、矢来模様等、どのような模様としてもよいが、底平面に平行かつ円周に沿って形成された線を有していることが望ましい。これによれば、当該線を外側に折り畳むことで、水切り部４１の高さを調整できる。切子面は、片面のみに施してもよいし、両面に施しても構わない。
【００４８】
水受け部４２は、図８（ｂ）に示すように、底部４３の周縁から延出する中空の連結部４２１と、連結部４２１の縁に形成される折り返し部４２２と、折り返し部４２２から略半球面形状に広がる表裏可逆の器部４２３と、折り返し部４２２の折り返し端に形成され水切り部４１と反対方向に凸の隆起４２４と、からなる。
【００４９】
器部４２３には、その表面に、格子状の切子が施されている。切子は、どのような格子模様としてもよいが、水切り部４１と同様に、底平面に平行かつ円周に沿って形成された線を有していることが望ましい。これによれば、当該線を外側に折り畳むことで、器部４２３の高さを調整できる。また、切子部分が伸縮するため、折り返し部４２２により水受け部４２を折り返す作業を容易に行うことができる。なお、切子は、片面のみに施してもよいし、両面に施しても構わない。
【００５０】
折り返し部４２２は、これを折り返すことで、器部４２３の表裏を反転させることが可能である。なお、器部４２３は、水切り部４１とほぼ同じ大きさの略半球面形状に形成されている。従って、図８（ａ）に示すように、折り返し部４２２を折り返した状態では、水切り部４１の開口縁と水受け部４２の開口縁には、少なくとも連結部４２１の高さ以上のずれ（ｈ）が生じる。従って、蒸し器４ａの内部に蒸気を満たすために、接触部４４は通気しないよう密着させるのが望ましい。なお、この密着効果を高めるために、水切り部４１の半球面の切子は、接触部４４よりも上部面のみに施してもよい。もちろん、接触部４４付近の表面のみに切子を施さない構成としてもよい。水受け部４２の切子についても同様である。
【００５１】
このような構成により、本発明の変形例４に係る蒸し器４ａは、表面に施された切子により、水切り部４１及び水受け部４２の高さを段階的に調節することが可能であると共に、器部４２３の折り返しを容易にする。
【００５２】
また、器部４２３と水切り部４１とがほぼ同じ大きさであるため、蓋９は両方の開口縁に嵌まり、兼用できる。従って、図８（ｂ）に示すように、水切り部４１及び水受け部４２の上下を逆にして、単なる容器としても利用することができる。
【００５３】
さらに接触部４４が密着していることで、内部の蒸気が漏れにくく、また、傾けても内部の水９３がこぼれにくい。
【００５４】
このように、本発明によれば、水切り用の容器と水受け用の容器を一体に形成することにより、使用時における組み合わせの誤りや各容器の組み合わせによるズレ、滑り、破損等を防止することが可能である。
【００５５】
また、本発明は、さまざまな用途に利用可能であり、例えば、素材に透明なシリコンゴムを用いることにより、清涼感のある食器としても利用することができる。
【符号の説明】
【００５６】
１：受け皿付き水切り容器、１１：水切り部、１１１：水切り孔、１２：水受け部、１２１：連結部、１２２：折り返し部、１２３：器部、１２４：隆起、１３：底部、１９：リブ、１ａ：受け皿付き水切り容器、２：受け皿付き水切り容器、２１：水切り部、２１１：水切り孔、２１１ａ：スリット、２２：水受け部、２２１：連結部、２２２：折り返し部、２２３：器部、２３ａ：底部、２３ｂ：底部、２ａ：受け皿付き水切り容器、３：受け皿付き水切り容器、３１：水切り部、３１１：水切り孔、３２：水受け部、３２１：連結部、３２２：折り返し部、３２３：器部、３２４：隆起、３３ａ：底部、３３ｂ：底部、４：蒸し器、４ａ：蒸し器、４０：受け皿付き水切り容器、４１：水切り部、４２：水受け部、４３、底部、４４：接触部、４１１水切り孔、４２１：連結部、４２２：折り返し部、４２３：器部、４２４：隆起部、９：蓋、９０：食材、９１：氷、９２：調理器具、９３：水
【図１】
0005394281.tif 000002
【図２】
0005394281.tif 000003
【図３】
0005394281.tif 000004
【図４】
0005394281.tif 000005
【図５】
0005394281.tif 000006
【図６】
0005394281.tif 000007
【図７】
0005394281.tif 000008
【図８】
0005394281.tif 000009